【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
ＤＣ電力を電気デバイスに供給するための電源を備えるＤＣ電力分配システムであって、前記電気デバイスを前記電源に電気的に接続するための単極接続デバイスを含み、前記単極接続デバイスは、
−  前記電気デバイスの電気デバイス接点が接続される接続デバイス接点と、
−  前記電気デバイスの前記電気デバイス接点が前記接続デバイス接点に接続されているかどうか検出するための負荷存在検出ユニットと、
−  前記電気デバイスの前記電気デバイス接点の極性を決定するための極性決定ユニットと、
−  前記電気デバイスの前記電気デバイス接点が前記接続デバイス接点に接続されていることを前記負荷存在検出ユニットが検出した場合にのみ、前記ＤＣ電力分配システムの前記ＤＣ電力を前記接続デバイス接点に提供するため、及び前記決定された極性を有する前記ＤＣ電力を提供するための電力提供制御ユニットと
を備える、ＤＣ電力分配システム。
【請求項２】
前記負荷存在検出ユニットが、前記接続デバイス接点に検出試験電圧を印加し、生じた検出試験電流を測定し、前記測定された検出試験電流に基づいて前記電気デバイスが前記接続デバイス接点に接続されているかどうか検出する、請求項１に記載のシステム。
【請求項３】
前記極性決定ユニットが、極性試験電流を測定し、前記測定された極性試験電流に応じて、前記電気デバイスの前記電気デバイス接点の前記極性を決定する、請求項１に記載のシステム。
【請求項４】
前記極性決定ユニットが、前記接続デバイス接点に極性試験電圧を印加し、前記極性試験電圧が印加されるときに前記極性試験電流を測定する、請求項３に記載のシステム。
【請求項５】
前記電気デバイスが、電気デバイスの複数のクラスのうちのクラスに割り当てられ、前記単極接続デバイスが、
−  前記電気デバイスの前記電気デバイス接点が前記接続デバイス接点に接続されている場合に、前記電気デバイスの前記クラスを決定するためのクラス決定ユニットと、
−  前記電気デバイスの前記決定されたクラスに応じて、前記ＤＣ電力分配システムの前記ＤＣ電力を変換するための電力変換ユニットと
を備える、請求項１に記載のシステム。
【請求項６】
前記クラス決定ユニットが、分類試験電圧を前記接続デバイス接点に印加し、生じた分類試験電流を測定し、前記測定された分類試験電流に応じて前記電気デバイスを分類する、請求項５に記載のシステム。
【請求項７】
−  前記負荷存在検出ユニットが、前記接続デバイス接点に検出試験電圧を印加し、生じた検出試験電流を測定し、前記測定された検出試験電流に基づいて前記電気デバイスが前記接続デバイス接点に接続されているかどうか検出し、
−  前記電気デバイスが、電気デバイスの複数のクラスのうちのクラスに割り当てられ、前記単極接続デバイスが、前記電気デバイス接点が接続デバイス接点に接続されている場合に前記電気デバイスの前記クラスを決定するためのクラス決定ユニットを備え、前記クラス決定ユニットが、分類試験電圧を前記接続デバイス接点に印加し、生じた分類試験電流を測定し、前記測定された分類試験電流に応じて前記電気デバイスを分類し、
−  前記システムが、更に、前記接続デバイス接点に接続される前記電気デバイス接点を有する前記電気デバイスを備え、前記電気デバイスが、前記検出試験電圧が前記接続デバイス接点に印加される場合に前記検出試験電流を発生するための検出抵抗と、前記分類試験電圧が前記接続デバイス接点に印加される場合に前記分類試験電流を発生するための分類抵抗とを備える、
請求項１に記載のシステム。
【請求項８】
前記電気デバイスが、前記電気デバイスを制御するための電気デバイス制御ユニットを更に備え、前記電気デバイス制御ユニットが、前記接続デバイス接点に印加された電圧を測定し、前記測定された電圧が前記検出試験電圧であるか又は前記分類試験電圧であるかを判断し、前記測定された電圧が前記検出試験電圧である場合には前記検出抵抗を前記電気デバイス接点に接続し、前記測定された電圧が前記分類試験電圧である場合には前記分類抵抗を前記電気デバイス接点に接続する、請求項７に記載のシステム。
【請求項９】
前記電気デバイスが、
−  前記電気デバイスの電気負荷をドライブするためのドライバと、
−  前記ドライバによってドライブされる前記電気負荷と、
−  前記検出試験電圧又は前記分類試験電圧が測定されている場合に、前記ドライバ及び前記電気負荷を前記電気デバイス接点から絶縁するための絶縁スイッチと
を更に備える、請求項８に記載のシステム。
【請求項１０】
前記単極接続デバイスは、前記単極接続デバイスが電力線通信信号を送信及び／又は受信できるようにするための電力線通信ユニットを更に備える、請求項１に記載のシステム。
【請求項１１】
前記電気デバイスが、天井から吊るされる懸架型の天井構成要素を備え、電気負荷が、前記懸架型の天井構成要素に取り付けられ、前記システムが、前記天井から吊るされるときに前記懸架型の天井構成要素を担持するための担持要素を更に備え、前記担持要素が、前記電源によって供給されるＤＣ電力も伝送する、請求項１に記載のシステム。
【請求項１２】
請求項１に記載のＤＣ電力分配システムで使用され、及び電気デバイスを前記ＤＣ電力分配システムに接続して、ＤＣ電力を前記電気デバイスに提供するための接続デバイスであって、前記接続デバイスは、単極であって、
−  前記電気デバイスの電気デバイス接点が接続される接続デバイス接点と、
−  前記電気デバイスの前記電気デバイス接点が前記接続デバイス接点に接続されているかどうか検出するための負荷存在検出ユニットと、
−  前記電気デバイスの前記電気デバイス接点の極性を決定するための極性決定ユニットと、
−  前記電気デバイスの前記電気デバイス接点が前記接続デバイス接点に接続されていることを前記負荷存在検出ユニットが検出した場合にのみ、前記ＤＣ電力分配システムの前記ＤＣ電力を前記接続デバイス接点に提供するため、及び前記決定された極性を有する前記ＤＣ電力を提供するための電力提供制御ユニットと
を備える、接続デバイス。
【請求項１３】
請求項１に記載のＤＣ電力分配システムのＤＣ電力を提供するためのＤＣ電力提供方法であって、
−  前記負荷存在検出ユニットによって、電気デバイスの電気デバイス接点が単極接続デバイスの接続デバイス接点に接続されているかどうか検出するステップと、
−  極性決定ユニットによって、前記電気デバイスの前記電気デバイス接点の極性を決定するステップと、
−  前記電気デバイスの前記電気デバイス接点が前記接続デバイス接点に接続されていることを前記負荷存在検出ユニットが検出した場合にのみ、前記電力提供制御ユニットによって、前記ＤＣ電力分配システムの前記ＤＣ電力を前記接続デバイス接点に提供するステップであって、前記ＤＣ電力が前記決定された極性を備える、ステップと
を含む、方法。
【請求項１４】
請求項１に記載のＤＣ電力分配システムのＤＣ電力を提供するためのコンピュータプログラムであって、前記コンピュータプログラムが前記システムを制御するコンピュータ上で実行されるときに、請求項１に記載のシステムに、請求項１３に記載の方法のステップを実施させるためのプログラムコード手段を備える、コンピュータプログラム。